(57)【要約】      （修正有）【課題】自走車用タイヤが摩耗してスリップマークが露出してもタイヤの排水性を良好に維持し、降雨時の高速運転においてもハイドロプレーニング現象等によるスリップ事故の発生を抑制する。【解決手段】円周方向にタイヤ溝２を有すると共に該タイヤ溝にスリップサイン４を有し、このスリップサインの上面が前記タイヤ溝の底面より高くなっている自走車用タイヤにおいて、前記タイヤ溝の片側に、その幅が拡大する拡大部３を設け、そのタイヤ溝の拡大部内に前記スリップサインを設け、そのスリップサインの前後面と前記タイヤ溝の拡大部との間には排水溝となる間隔を設ける。【選択図】図１
2005297935.tif 000002
【特許請求の範囲】
【請求項１】
円周方向にタイヤ溝を有すると共に該タイヤ溝にスリップサインを有し、このスリップサインの上面が前記タイヤ溝の底面より高くなっている自走車用タイヤにおいて、前記タイヤ溝の片側に、その幅が拡大する拡大部を設け、そのタイヤ溝の拡大部内に前記スリップサインを設け、そのスリップサインの前後面と前記タイヤ溝の拡大部との間には排水溝となる間隔を設けていることを特徴とする自走車用タイヤ。
【請求項２】
円周方向にタイヤ溝を有すると共に該タイヤ溝にスリップサインを有し、このスリップサインの上面が前記タイヤ溝の底面より高くなっている自走車用タイヤにおいて、前記タイヤ溝の両側に、その幅が拡大する拡大部を設け、その片側の拡大部よりタイヤ溝内にはみ出して前記スリップサインを設け、そのスリップサインの前後面及び側面と前記タイヤ溝の拡大部との間には各々排水溝となる間隔を設けていることを特徴とする自走車用タイヤ。
【請求項３】
円周方向にタイヤ溝を有すると共に該タイヤ溝にスリップサインを有し、このスリップサインの上面が前記タイヤ溝の底面より高くなっている自走車用タイヤにおいて、前記タイヤ溝の両側に、その幅が拡大する拡大部を設け、その両拡大部内に各々別々の前記スリップサインを設け、そのスリップサインの前後面及び側面と前記タイヤ溝の拡大部との間には各々排水溝となる間隔を設けていることを特徴とする自走車用タイヤ。
【請求項４】
円周方向にタイヤ溝を有すると共に該タイヤ溝にスリップサインを有し、このスリップサインの上面が前記タイヤ溝の底面より高くなっている自走車用タイヤにおいて、前記タイヤ溝の両側に、その幅が拡大する拡大部を設け、その拡大部位置のタイヤ溝内にスリップサインを設け、そのスリップサインの側周面と前記タイヤ溝の拡大部との間には排水溝となる間隔を設けていることを特徴とする自走車用タイヤ。
【請求項５】
前記タイヤ溝を含む拡大部の幅寸法が前記スリップサイン幅寸法の１．５〜２．５倍とすることを特徴とする請求項１〜４のいずれかに記載の自走車用タイヤ。
【発明の詳細な説明】
【技術分野】
【０００１】この発明は自走車用タイヤに関するものである。
【背景技術】
【０００２】  従来、タイヤは、自動車において路面に接する唯一の部材であり、緩衝作用等の種々の機能を果たしており、通常高圧空気を内部に保持して形成されている。
このタイヤは、固くて厚いゴムからなるタイヤ本体と、該タイヤ本体の外側にあり接地部となるトレッド部と、タイヤ本体の内側にありコードが多層に形成された補強部とからなり、内側が開口された略円管状に形成されている。そして、高圧空気が内部に保持され、円管状に形成されたチューブの外側に嵌着されている。
また、上記タイヤのトレッド部には、路面をしっかりグリップして、スリップを防止する為のタイヤ溝が設けられている。尚、このタイヤ溝はタイヤの大きさ、種類によっても異なるが、寸法は幅：３〜２０ｍｍのものが多い。【０００３】  ところで、このトレッド部は、自動車の使用により、次第に摩耗し、そのまま走行すると、過剰摩耗状態となり、遂にはタイヤ溝が消滅してしまい、グリップ力が著しく低下し、スリップし易くなり走行が危険となるばかりでなく、走行中に路面からの振動や揺れがそのまま伝わり易くなって乗心地が悪くなる等、自動車の性能を充分発揮できなくなるという大きな問題点があった。【０００４】  このため、タイヤの過剰摩耗状態のままの走行を改善する一手法として、タイヤのタイヤ溝内にスリップマーク（寸法は長さ：３〜１５ｍｍ、幅：３〜２０ｍｍ、高さ：１．６ｍｍ［バイク用は０．８ｍｍ］、形状は四角柱のものが多い。）を設け、このスリップマークをユーザーが見易い様に、タイヤと異なる色にすることが提案されている（特許文献１）。【０００５】
【特許文献１】  特開平０５−２４６２１７
【発明の開示】
【発明が解決しようとする課題】
【０００６】  しかし、前記スリップマーク４は、タイヤ溝２内に６ヶ所等間隔に設置され、長さはタイヤサイズ等に異なるが、高さはタイヤ溝２底部から１．６ｍｍ以上で、幅はタイヤ溝２の幅と同じであることから、このタイヤの摩耗が進行した時、図５に示す様に、タイヤ溝２を埋める形で露出することから、タイヤ溝２の連続性がスリップマーク４で途切れ、走行時に於けるタイヤの排水性が著しく損なわれる状態となり、降雨時の高速運転は、自動車の運転操作上最も危険なハイドロプレーニング現象を発生させる要因となる。【０００７】  本発明は、自走車用タイヤが摩耗してスリップマークが露出してもタイヤの排水性を良好に維持し、降雨時の高速運転においてもハイドロプレーニング現象等によるスリップ事故の発生を抑制することを課題とするものである。
【課題を解決するための手段】
【０００８】  本発明は、上記課題を解決するためになされたものであり、その手段１は、円周方向にタイヤ溝を有すると共に該タイヤ溝にスリップサインを有し、このスリップサインの上面が前記タイヤ溝の底面より高くなっている自走車用タイヤにおいて、前記タイヤ溝の片側に、その幅が拡大する拡大部を設け、そのタイヤ溝の拡大部内に前記スリップサインを設け、そのスリップサインの前後面と前記タイヤ溝の拡大部との間には排水溝となる間隔を設けている自走車用タイヤである。
更に、手段２は、円周方向にタイヤ溝を有すると共に該タイヤ溝にスリップサインを有し、このスリップサインの上面が前記タイヤ溝の底面より高くなっている自走車用タイヤにおいて、前記タイヤ溝の両側に、その幅が拡大する拡大部を設け、その片側の拡大部よりタイヤ溝内にはみ出して前記スリップサインを設け、そのスリップサインの前後面及び側面と前記タイヤ溝の拡大部との間には各々排水溝となる間隔を設けている自走車用タイヤである。
また、手段３は、円周方向にタイヤ溝を有すると共に該タイヤ溝にスリップサインを有し、このスリップサインの上面が前記タイヤ溝の底面より高くなっている自走車用タイヤにおいて、前記タイヤ溝の両側に、その幅が拡大する拡大部を設け、その両拡大部内に各々別々の前記スリップサインを設け、そのスリップサインの前後面及び側面と前記タイヤ溝の拡大部との間には各々排水溝となる間隔を設けている自走車用タイヤである。
手段４は、円周方向にタイヤ溝を有すると共に該タイヤ溝にスリップサインを有し、このスリップサインの上面が前記タイヤ溝の底面より高くなっている自走車用タイヤにおいて、前記タイヤ溝の両側に、その幅が拡大する拡大部を設け、その拡大部位置のタイヤ溝内にスリップサインを設け、そのスリップサインの側周面と前記タイヤ溝の拡大部との間には排水溝となる間隔を設けている自走車用タイヤである。
手段５は、前記タイヤ溝を含む拡大部の幅寸法が前記スリップサイン幅寸法の１．５〜２．５倍とした前記手段１〜４のいずれかに記載の自走車用タイヤである。
【発明の効果】
【０００９】  本発明では、タイヤの摩耗が限界まで進行してもタイヤ溝の連続性が保たれて排水性及び排砂性は確保されハイドロプレーニング現象によるスリップ事故を大幅に軽減することができ、この分野における効果は大きい。
【発明を実施するための最良の形態】
【００１０】  本発明は降雨時の高速運転においてもハイドロプレーニング現象の発生を防止するために種々検討した結果、タイヤの接地面が摩耗してスリップマークの上面と同一レベルになっても、タイヤ溝内を流れる水をスリップマークが阻止することがなく、さらに、スリップマークが路面に接地した際、該スリップマーク４上面と路面の水がスム−ズにタイヤ溝内に流入する様にする事が好ましいことを知見した。【００１１】  この知見を基にして本発明を成したものであり、この発明の実施の形態を図面を参照し、以下に説明する。
先ず、図１（イ）〜（ハ）は本発明の請求項１に対応する実施形態を示すものである。
図中、１はタイヤの接地面、２はタイヤの円周方向に設けたタイヤ溝（寸法は従来と同等）である。３は拡大部であり、該拡大部３はタイヤ溝２の片側に設けられている。４は拡大部３内に設けたスリップマーク（寸法、形状は従来と同等）である。【００１２】  そして、この拡大部３の長さ（タイヤの円周方向長さ）はスリップマーク４より３〜１０ｍｍ長く（下記図２、図３、図４の場合も同様であり、以下説明を省略する）、且つ、拡大部３の幅（タイヤの幅方向）はスリップマーク４の幅と同一である。更に、このスリップマーク４の１側面４ａは拡大部３の側面に接して設けられ、他側面４ｄ側はタイヤ溝２内にはみださない様に（タイヤ溝２の延長線と同一位置）に設けられ、かつ、拡大部３の長さ方向中央部に設けられている。５ｂ、５ｃはスリップマーク４の前後面とタイヤ溝２の拡大部３との間に形成された排水溝、６はタイヤ溝２の底部である。【００１３】  この様にスリップマーク４を設ける事により、図１（ニ）に示す様に、タイヤの接地面１が摩耗してスリップマーク４が露出しても、タイヤ溝２内を流れる水をスリップマーク４が阻止することがない。また、更に、スリップマーク４が路面に接地した際、該スリップマーク４上面と路面の間の水はスリップマーク４側部のタイヤ溝２内及びスリップマーク４前後面側の間隙である排水溝５ｂ、５ｃ内に容易に流れ込んで、タイヤ溝２より排水される。これにより、降雨時の高速運転でもハイドロプレーニング現象の発生を防止出来る。【００１４】  更に、図２（イ）〜（ニ）は本発明の請求項２に対応する実施形態を示すものである。
これは、図２に示す様に、拡大部３をタイヤ溝２の両側に設け、その一方の拡大部３をはみ出してその一部がタイヤ溝２内に掛かる様にスリップマーク４を設けたものである。そして、スリップマーク４の１側面４ａと拡大部３との間、更に、スリップマーク４の前面４ｂと拡大部３との間、スリップマーク４の後面４ｃと拡大部３との間には各々排水溝５ａ〜５ｃが設けられている。そして、前記排水溝５ａの幅寸法とスリップマーク４の他側面４ｄから拡大部３との間隙５ｄの幅寸法の和がタイヤ溝２の幅２ａの寸法と同等に成るようにする、即ち、タイヤ溝２の幅寸法が狭くならない様にスリップマーク４の幅寸法に相当するだけの幅寸法を確保するための拡大部３とする事が好ましい。【００１５】  かくして、前記図１の場合と同様にタイヤ溝２内を流れる水をスリップマーク４が阻止することがなく、スリップマーク４が路面に接地した際においてもスリップマーク４上面と路面の間の水はスリップマーク４側部のタイヤ溝２内及び排水溝５ａ〜５ｃ内に容易に流れ込んで、タイヤ溝２より排水される。
また、本例ではスリップマーク４の１側面４ａと拡大部３との間に排水溝５ａを設けたが、スリップマーク４の１側面４ａが拡大部３に接して設ける。つまり、排水溝５ａが無い様に設けてもよい。【００１６】  また、図３（イ）〜（ニ）は本発明の請求項３に対応する実施形態を示すものである。
これは、図３に示す様に、拡大部３をタイヤ溝２の両側に設け、その両拡大部３の各々にスリップマーク４−１，４−２を設けたものであり、両スリップマーク４−１，４−２の前後端と拡大部３の間には排水溝５ｂ、５ｃが形成される。【００１７】  これにより、タイヤ溝２内を流れる水をスリップマーク４−１、４−２が阻止することがなく、スリップマーク４−１、４−２が路面に接地した際においても各スリップマーク４−１、４−２上面と路面の間の水はタイヤ溝２内及び排水溝５ｂ、５ｃ内に容易に流れ込んで、タイヤ溝２より排水される。
この際、タイヤ溝２の両側の各々の拡大部３及びスリップマーク４−１（４−２）の幅寸法（タイヤの幅方向の寸法）を図１の場合と同一としても良いが、図１の場合の１／２とすることが拡大部３の幅寸法も大幅に広く成らなくて済み、タイヤの耐摩耗性を良好に維持するために好ましい。【００１８】  図４（イ）〜（ニ）は本発明の請求項４に対応する実施形態を示すものである。
これは、図４に示す様に、拡大部３をタイヤ溝２の両側に設け、その拡大部３を設けた部分のタイヤ溝２内にスリップマーク４を設けたものである。この際、拡大部３とスリップマーク４の間には排水溝５ａ、５ｄが形成される。このため、タイヤ溝２内を流れて来た水は拡大部３でスリップマーク４により２つに分かれて流れ、スリップマーク４位置を過ぎると再び合流して流れる。又、スリップマーク４上面と路面の間の水は該リップマーク４の前後、左右の四方からタイヤ溝２内及び排水溝５ａ、５ｄに流れ込む。【００１９】  更に、タイヤ溝を含む拡大部の幅寸法を前記スリップサイン幅寸法の１．５〜２．５倍とすることが好ましい。これは排水性、排砂性を確保するとともにタイヤの耐摩耗性を良好に維持するためである。
【図面の簡単な説明】
【００２０】
【図１】  本発明の請求項１に対応する実施形態を示す図面であり、（イ）は平面図、（ロ）は（イ）の点線部分の拡大図、（ハ）は（ロ）の斜視図、（ニ）は摩耗限界に達した状態を示す斜視図である。
【図２】  本発明の請求項２に対応する実施形態を示す図面であり、（イ）は平面図、（ロ）は（イ）の点線部分の拡大図、（ニ）は（ロ）の斜視図、（ニ）は摩耗限界に達した状態を示す斜視図である。
【図３】  本発明の請求項３に対応する実施形態を示す図面であり、（イ）は平面図、（ロ）は（イ）の点線部分の拡大図、（ハ）は（ロ）の斜視図、（ニ）は摩耗限界に達した状態を示す斜視図である。
【図４】  本発明の請求項４に対応する実施形態を示す図面であり、（イ）は平面図、（ロ）は（イ）の点線部分の拡大図、（ハ）は（ロ）の斜視図、（ニ）は摩耗限界に達した状態を示す斜視図である。
【図５】  タイヤが摩耗限界に達した際における従来のタイヤ溝とスリップマークの関係を示す斜視図である。
【符号の説明】
【００２１】１：タイヤ接地面、２：タイヤ溝、３：拡大部、４：スリップマーク、４ａ：スリップマークの１側面、
４ｂ：スリップマークの前面、４ｃ：スリップマークの後面、４ｄ：スリップマークの他側面、５ａ〜５ｃ：排水溝、６．タイヤ溝底部
【図１】
2005297935.tif 000003
【図２】
2005297935.tif 000004
【図３】
2005297935.tif 000005
【図４】
2005297935.tif 000006
【図５】
2005297935.tif 000007